(57)【要約】【課題】ボトル商品の重量や底面の摩擦係数に拘らずボトル商品を収容ラックから回転バケットに円滑に移動させることができ、しかも収容ラックへのボトル商品の装填を短時間で行うことのできる自動販売機を提供する。【解決手段】スライダー２０上のボトル商品Ａを当接部材４０によって前方に向かって付勢することができるので、ボトル商品Ａの重量や底面の摩擦係数に拘らず、ボトル商品Ａを収容ラック１０から回転バケット３０に円滑に移動させることができる。また、当接部材４０を商品通路１０ａの後端側に移動させると、当接部材４０のストッパー９０がスライダー２０の後端部２１ｅに後方から係止するので、人手を用いることなく当接部材４０が商品通路１０ａの後端側に保持される。即ち、ボトル商品Ａの装填に両手を用いることができ、収容ラック１０へのボトル商品Ａの装填を短時間で行うことができる。【選択図】図１０
2007287034.tif 000002
【特許請求の範囲】
【請求項１】
前面を開口した自動販売機本体と、自動販売機本体内に設けられ、複数の商品を前後方向に並ぶように収容可能な商品通路と、商品通路内に前後方向に移動可能に設けられ、商品通路内の商品のうち最後尾の商品に後方から当接可能な当接部材と、当接部材を前方に向かって付勢する付勢部材と、商品通路内に収容された各商品のうち最前の商品を取出して所定位置まで搬送する搬出機構とを備え、前記最前の商品が搬出機構によって取出されると、商品通路内の各商品が当接部材の当接によって前方に向かって移動するとともに、商品通路内の次に最前となった商品が搬出機構によって取出可能な位置に配置されるようにした自動販売機において、
前記商品通路の後端側に移動させた当接部材の前方への移動を規制可能な移動規制手段を備えた
ことを特徴とする自動販売機。
【請求項２】
前面を開口した自動販売機本体と、自動販売機本体内に配置され、複数のボトル商品を前後方向に並ぶように起立状態で収容可能な商品通路が設けられた収容ラックと、商品通路内に前後方向に移動可能に設けられ、商品通路内の各ボトル商品のうち最後尾のボトル商品に後方から当接可能な当接部材と、当接部材を前方に向かって付勢する付勢部材と、商品通路の前方に配置されるように収容ラックに設けられ、周方向の一部に開口部を有する略筒状の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出される自動販売機において、
前記商品通路の後端側に移動させた当接部材の前方への移動を規制可能な移動規制手段を備えた
ことを特徴とする自動販売機。
【請求項３】
前記移動規制手段を、商品通路の後端側に設けられた係止部と、当接部材に回動可能に取付けられ、所定の方向に回動することにより係止部に後方から係止可能なストッパーとから構成した
ことを特徴とする請求項１または２記載の自動販売機。
【請求項４】
前記当接部材を商品通路の後端側に移動させると、ストッパーが自重によって下方に回動して係止部に係止するように構成した
ことを特徴とする請求項３記載の自動販売機。
【請求項５】
前記商品通路の後端側に上下方向に移動可能に設けられ、ストッパーに下方から当接することによりストッパーと係止部との係止を解除する解除部材を備えた
ことを特徴とする請求項４記載の自動販売機。
【請求項６】
前面を開口した自動販売機本体と、自動販売機本体に前方に向かって引き出し可能に装着され、複数のボトル商品を前後方向に並ぶように起立状態で収容可能な商品通路が設けられた収容ラックと、商品通路内に前後方向に移動可能に設けられ、商品通路内の各ボトル商品のうち最後尾のボトル商品に後方から当接可能な当接部材と、当接部材を前方に向かって付勢する付勢部材と、商品通路の前方に配置されるように収容ラックに設けられ、周方向の一部に開口部を有する略筒状の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出される自動販売機において、
前記収容ラックを自動販売機本体に対して前方に向かって引き出すと、当接部材に前方から係止して当接部材を商品通路の後端側に移動させる係止部材を備えた
ことを特徴とする自動販売機。
【発明の詳細な説明】
【技術分野】
【０００１】
本発明は、容器入りの飲料等の商品を前後方向に並ぶように収容可能な商品通路を有し、商品通路の前方に設けられた搬出機構によって商品通路内の最前の商品を搬出するようにした自動販売機に関するものである。
【背景技術】
【０００２】
従来、この種の自動販売機としては、前面を開口した自動販売機本体と、自動販売機本体内に設けられ、複数の商品を前後方向に並ぶように収容可能な商品通路と、商品通路内に前後方向に移動可能に設けられ、商品通路内の商品のうち最後尾の商品に後方から当接可能な当接部材と、当接部材を前方に向かって付勢する付勢部材と、商品通路内に収容された各商品のうち最前の商品を取出して所定位置まで搬送する搬出機構とを備え、商品通路内の前記最前の商品が搬出機構によって取出されると、商品通路内の各商品が付勢部材の付勢力によって前方に向かって移動するとともに、商品通路内の次に最前となった商品が搬出機構による取出位置に配置されるようにしたものが知られている（例えば、特許文献１参照。）。
【０００３】
また、他の自動販売機としては、前面を開口した自動販売機本体と、自動販売機本体に前方に向かって引き出し可能に装着され、複数のボトル状の商品を起立状態で前後方向に並ぶように複数列収容可能な収容ラックと、収容ラックに収容された各商品を列ごとに仕切り、収容ラック内に複数の商品通路を形成する複数の仕切板と、各商品通路に前後方向に移動可能にそれぞれ設けられ、商品通路内の商品のうち最後尾の商品に後方から当接可能な当接部材と、当接部材を前方に向かって付勢する付勢部材と、各商品通路の前方にそれぞれ配置されるように収容ラックに設けられ、周方向の一部に開口部を有する略筒状に形成された複数の回転バケットとを備え、回転バケットを開口部が後方を向く回転方向所定位置に配置すると、商品通路内の各商品のうち最前の商品が回転バケット内に移動し、回転バケットを開口部が前方を向く他の回転方向所定位置まで回転させると、回転バケット内の商品が前方に搬出されるようにしたものが知られている（例えば、特許文献２及び特許文献３参照。）。
【特許文献１】特開２０００−７６５３８号公報
【特許文献２】特開２０００−２９３７５２号公報
【特許文献３】特開平９−２７００６２号公報
【発明の開示】
【発明が解決しようとする課題】
【０００４】
ところで、前記各自動販売機では、商品通路内の商品を当接部材によって前方に向かって付勢することにより、商品通路内の商品を前方に向かって強制的に移動させ、商品通路内の商品が確実に搬出されるようにしている。しかしながら、商品通路内に当接部材を設けると、商品通路内に商品を装填する際に当接部材を付勢部材に抗して後方に移動させる必要があるので、一方の手を用いて当接部材を商品通路の後端側に保持するとともに、他方の手を用いて商品を装填することになり、一方の手を用いることができない分だけ装填作業に長時間を要するという問題点があった。
【０００５】
本発明は前記問題点に鑑みてなされたものであり、その目的とするところは、当接部材によって商品通路内の商品を前方に向かって付勢することができ、しかも商品の装填を短時間で行うことのできる自動販売機を提供することにある。
【課題を解決するための手段】
【０００６】
本発明は前記目的を達成するために、前面を開口した自動販売機本体と、自動販売機本体内に設けられ、複数の商品を前後方向に並ぶように収容可能な商品通路と、商品通路内に前後方向に移動可能に設けられ、商品通路内の商品のうち最後尾の商品に後方から当接可能な当接部材と、当接部材を前方に向かって付勢する付勢部材と、商品通路内に収容された各商品のうち最前の商品を取出して所定位置まで搬送する搬出機構とを備え、前記最前の商品が搬出機構によって取出されると、商品通路内の各商品が当接部材の当接によって前方に向かって移動するとともに、商品通路内の次に最前となった商品が搬出機構によって取出可能な位置に配置されるようにした自動販売機において、前記商品通路の後端側に移動させた当接部材の前方への移動を規制可能な移動規制手段を備えている。
【０００７】
これにより、当接部材が商品通路内に前後方向に移動可能に設けられるとともに、当接部材は付勢部材によって前方に向かって付勢されているので、当接部材によって商品通路内の商品を前方に向かって付勢することができる。また、商品通路の後端側に移動させた当接部材の前方への移動が移動規制手段によって規制可能であることから、商品通路内に商品を装填する際に、人手を用いることなく当接部材が商品通路の後端側に保持される。
【０００８】
また、本発明は、前面を開口した自動販売機本体と、自動販売機本体内に配置され、複数のボトル商品を前後方向に並ぶように起立状態で収容可能な商品通路が設けられた収容ラックと、商品通路内に前後方向に移動可能に設けられ、商品通路内の各ボトル商品のうち最後尾のボトル商品に後方から当接可能な当接部材と、当接部材を前方に向かって付勢する付勢部材と、商品通路の前方に配置されるように収容ラックに設けられ、周方向の一部に開口部を有する略筒状の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出される自動販売機において、前記商品通路の後端側に移動させた当接部材の前方への移動を規制可能な移動規制手段を備えている。
【０００９】
これにより、当接部材が商品通路内に前後方向に移動可能に設けられるとともに、当接部材は付勢部材によって前方に向かって付勢されているので、当接部材によって商品通路内のボトル商品を前方に向かって付勢することができる。また、商品通路の後端側に移動させた当接部材の前方への移動が移動規制手段によって規制可能であることから、商品通路内にボトル商品を装填する際に、人手を用いることなく当接部材が商品通路の後端側に保持される。
【００１０】
また、本発明は、前面を開口した自動販売機本体と、自動販売機本体に前方に向かって引き出し可能に装着され、複数のボトル商品を前後方向に並ぶように起立状態で収容可能な商品通路が設けられた収容ラックと、商品通路内に前後方向に移動可能に設けられ、商品通路内の各ボトル商品のうち最後尾のボトル商品に後方から当接可能な当接部材と、当接部材を前方に向かって付勢する付勢部材と、商品通路の前方に配置されるように収容ラックに設けられ、周方向の一部に開口部を有する略筒状の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出される自動販売機において、前記収容ラックを自動販売機本体に対して前方に向かって引き出すと、当接部材に前方から係止して当接部材を商品通路の後端側に移動させる係止部材を備えている。
【００１１】
これにより、当接部材が商品通路内に前後方向に移動可能に設けられるとともに、当接部材は付勢部材によって前方に向かって付勢されているので、当接部材によって商品通路内のボトル商品を前方に向かって付勢することができる。また、収容ラックを自動販売機本体から前方に向かって引き出すと、係止部材が当接部材に前方から係止して当接部材が商品通路の後端側に移動することから、商品通路内にボトル商品を装填する際に、人手を用いることなく当接部材が商品通路の後端側に保持される。
【発明の効果】
【００１２】
本発明によれば、商品通路内に商品を装填する際に、人手を用いることなく当接部材を商品通路の後端側に保持することができるので、商品の装填作業に両手を用いることができ、商品の装填作業を短時間で行うことができる。
【発明を実施するための最良の形態】
【００１３】
図１乃至図１３は本発明の第１の実施形態を示すもので、図１は自動販売機の斜視図、図２は収容ラックの斜視図、図３は収容ラックの平面図、図４は取付板及び駆動機構を取外した状態の収容ラックの平面図、図５は収容ラックの要部斜視図、図６はスライダー、当接部材及び回転バケットの側面図、図７は当接部材の正面図、図８は当接部材の側面断面図、図９はスライダー及び当接部材の背面側斜視図、図１０はストッパー、解除部材及び操作部材の側面断面図、図１１はストッパー、解除部材及び操作部材の動作説明図、図１２及び図１３は当接部材及び回転バケットの動作説明図である。
【００１４】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１５】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、図１における右端が自動販売機本体１に支持されている。また、前面扉２の左端には開閉のための取手２ａが設けられている。
【００１６】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。
【００１７】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００１８】
前面板１２の中央部には矩形状の開口部１２ａが設けられている。また、前面板１２の上端側の背面には取付板１２ｂが設けられ、取付板１２ｂは前面板１２の背面から後方に向かって延びている。前面板１２の下端側の背面には平板状の商品受け１２ｃが設けられ、商品受け１２ｃは前面板１２の背面から後方に向かって延びている。
【００１９】
各スライダー２０は各商品通路１０ａごとに設けられ、収容ラック１０内に収容されたボトル商品Ａの底面を前方に向かって移動可能に支持している。また、各スライダー２０は、上端面を平面状に形成された合成樹脂性のスライダー本体２１と、スライダー本体２１の下面に沿って設けられた金属性の補強部材２２とを有する。
【００２０】
スライダー本体２１の上端面には複数の突状部２１ａが設けられ、各突状部２１ａは前後方向に延びるように設けられている。これにより、ボトル商品Ａとスライダー２０との摩擦抵抗が低減される。また、スライダー本体２１の上端面の幅方向中央には前後方向に延びる凹状部２１ｂが設けられている。また、スライダー２０には当接部材４０が前後方向に移動可能に係合しており、当接部材４０は商品通路１０ａ内に配置されている。また、当接部材４０は付勢部材５０によって前方に向かって付勢されている。
【００２１】
スライダー本体２１の前端には第１切欠部２１ｃが設けられ、スライダー本体２１の後端には第２切欠部２１ｄが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。各支持部材６０，７０の両端部にはそれぞれ位置決めピン８０が取付けられ、各位置決めピン８０によって各支持部材６０，７０が各側面板１１に対して幅方向に位置決めされている。各スライダー２０の第１切欠部２１ｃは前端支持部材６０にそれぞれ係合し、各スライダー２０の第２切欠部２１ｄは後端支持部材７０にそれぞれ係合している。即ち、各スライダー２０は各支持部材６０，７０を介して収容ラック１０に支持されている。また、第２取付孔１１ｂは各側面板１１に複数ずつ設けられ、各第２取付孔１１ｂは互いに上下方向に間隔をおいて設けられているので、後端支持部材７０の端部を他の第２取付孔１１ｂに取付けることにより、各スライダー２０の傾きを調整することができる。
【００２２】
当接部材４０はスライダー２０に載置された各ボトル商品Ａのうち最後尾のボトル商品Ａに後方から当接可能である。当接部材４０の前面はボトル商品Ａの側面に沿うように曲面状に形成され、当接部材４０の上端部４０ａは斜め後方に向かって延びるように形成されている。即ち、当接部材４０が最後尾のボトル商品Ａに後方から当接すると、上端部４０ａとボトル商品Ａとの間に所定の隙間が設けられる。従って、当接部材４０がボトル商品Ａに当接している状態でも、後方への移動のために当接部材４０を容易に把持することができる。
【００２３】
当接部材４０の下端側にはスライダー２０が挿通している。これにより、当接部材４０の下端側がスライダー２０の上端面及び下端面に上下方向に係合するとともに、当接部材４０の下端側がスライダー２０の側面に幅方向に係合している。
【００２４】
付勢部材５０は渦巻状に巻回されたバネ鋼から成り、当接部材４０の背面側に設けられたシャフト４０ｂに回転可能に取付けられている。また、付勢部材５０は当接部材４０に取付けられた状態で一端が引き出され、その一端がスライダー２０の前端に固定されている。また、引き出された付勢部材５０はスライダー２０の凹状部２１ｂ内に配置される。これにより、当接部材４０は付勢部材５０によって前方に向かって付勢されている。
【００２５】
当接部材４０の背面側には付勢部材５０に加えてストッパー９０が取付けられている。ストッパー９０の上端側には取付孔９０ａが設けられ、図示しない取付部材が取付孔９０ａを挿通して当接部材４０に固定されている。これにより、ストッパー９０は当接部材４０に上下方向に回動可能に取付けられている。ストッパー９０の下端側にはフック部９０ｂが設けられ、フック部９０ｂはスライダー本体２１の後端部２１ｅに後方から係止可能に形成されている。即ち、当接部材４０を商品通路１０ａの後端側に移動すると、ストッパー９０が自重によって下方に回動し、フック部９０ｂがスライダー２０の後端部２１ｅに後方から係止する。スライダー２０の後端部２１ｅは特許請求の範囲に記載した係止部に相当する。
【００２６】
各商品通路１０ａの後端側にはそれぞれ解除部材９１が設けられている。解除部材９１には一対のピン９１ａが固定され、各ピン９１ａは収容ラック１０の背面板１３に設けられた図示しないスリットにそれぞれ係合している。また、そのスリットは上下方向に延びるように設けられている。これにより、各解除部材９１は背面板１３のスリットに沿って上下方向に移動することができる。また、解除部材９１の上端部９１ｂはスライダー２０の後端部２１ｅに係止しているストッパー９０に下方から当接可能であり、解除部材９１の上端部９１ｂがスライダー２０の後端部２１ｅに係止しているストッパー９０に下方から当接すると、スライダー２０の後端部２１ｅとストッパー９０との係止が解除される。
【００２７】
収容ラック１０の背面側には収容ラック１０の幅方向に亘って延びる操作部材９２が設けられている。操作部材９２の両端部にはそれぞれ取付孔９２ａが設けられ、図示しない取付部材が各取付孔９２ａを挿通して収容ラック１０に固定されている。これにより、操作部材９２は収容ラック１０に上下方向に回動可能に取付けられている。また、操作部材９２は各解除部材９１に下方から当接可能であり、操作部材９２が各解除部材９１に当接すると、各解除部材９１が上方に向かって移動する。
【００２８】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。載置部３１の下面には円筒状のボス３１ａが設けられ、ボス３１ａは収容ラック１０の商品受け１２ｃに回転自在に支持されている。筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転自在に係合している。
【００２９】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００３０】
駆動機構３５は周知の電動モータから成り、収容ラック１０の取付板１２ｂに固定されている。また、駆動機構３５の図示しない駆動シャフトが回転バケット３０の上部に回転方向に係合している。
【００３１】
このように構成された自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００３２】
自動販売機本体１に装着された収容ラック１０に複数のボトル商品Ａを装填すると、各ボトル商品Ａは各商品通路１０ａ内に前後方向に並ぶように収容される。また、各商品通路１０ａ内のボトル商品Ａはスライダー２０の傾斜によって前方に向かって移動する。
【００３３】
ここで、ボトル商品Ａの重量や底面の摩擦係数はボトル商品Ａの種類によって異なり、ボトル商品Ａの底面の摩擦係数が大きい場合は、ボトル商品Ａが前方に向かって移動し難い。ここで、スライダー２０には当接部材４０が前後方向に移動可能に係合し、当接部材４０は付勢部材５０によって前方に向かって付勢されている。このため、当接部材４０はスライダー２０上の各ボトル商品Ａのうち最後尾のボトル商品Ａに後方から当接し、各ボトル商品Ａは当接部材４０によって前方に向かって付勢される。
【００３４】
各ボトル商品Ａがスライダー２０上を前方に向かって移動すると、各ボトル商品Ａのうち最前のボトル商品Ａが回転バケット３０内に配置される（図１２参照）。ここで、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される（図１３参照）。これにより、回転バケット３０内のボトル商品Ａが前方に搬出される。回転バケット３０から搬出されたボトル商品Ａは前面扉２を開放することにより取出される。
【００３５】
一方、商品通路１０ａにボトル商品Ａを装填する場合は、前面扉２を開放し、収容ラック１０を前方に向かって引き出す。また、付勢部材５０に抗して当接部材４０を後方に移動させ、ボトル商品Ａを商品通路１０ａに挿入する。ここで、当接部材４０にはストッパー９０が取付けられ、当接部材４０を付勢部材５０に抗して商品通路１０ａの後端側に移動すると、ストッパー９０が自重によって下方に回動するとともに、ストッパー９０のフック部９０ｂがスライダー２０の後端部２１ｅに後方から係止するので、当接部材４０が商品通路１０ａの後端側に保持される。
【００３６】
さらに、各商品通路１０ａの後端側にはそれぞれ解除部材９１が上下方向に移動可能に設けられるとともに、収容ラック１０の背面側には各解除部材９１に下方から当接可能な操作部材９２が設けられている。操作部材９２が各解除部材９１に下方から当接すると、各解除部材９１が上方に向かって移動するとともに、各解除部材９１が各当接部材４０のストッパー９０に下方から当接する。これにより、各ストッパー９０とスライダー２０の後端部２１ｅとの係止が解除され、各当接部材４０が付勢部材５０によって最後尾のボトル商品Ａに当接する。
【００３７】
このように、本実施形態によれば、スライダー２０上のボトル商品Ａを当接部材４０によって前方に向かって付勢することができるので、ボトル商品Ａの重量や底面の摩擦係数に拘らず、ボトル商品Ａを収容ラック１０から回転バケット３０に円滑に移動させることができる。
【００３８】
また、当接部材４０を商品通路１０ａの後端側に移動させると、当接部材４０のストッパー９０がスライダー２０の後端部２１ｅに後方から係止することにより、当接部材４０の前方への移動が規制されることから、商品通路１０ａ内にボトル商品Ａを装填する際に、人手を用いることなく当接部材４０が商品通路１０ａの後端側に保持される。即ち、ボトル商品Ａの装填に両手を用いることができ、収容ラック１０へのボトル商品Ａの装填を短時間で行うことができる。
【００３９】
さらに、ストッパー９０は当接部材４０に上下方向に回動可能に取付けられ、ストッパー９０が下方に向かって回動すると、ストッパー９０のフック部９０ｂがスライダー２０の後端部２１ｅに後方から係止するようにしたので、簡単な構成によって当接部材４０の前方への移動を確実に規制することができ、製造コストの低減を図る上で極めて有利である。
【００４０】
また、当接部材４０を商品通路１０ａの後端側に移動させると、ストッパー９１が自重によって下方に回動してスライダー２０の後端部２１ｅに係止するので、ストッパー９１をスライダー２０の後端部２１ｅに容易に係止させることができ、収容ラック１０へのボトル商品Ａの装填を短時間で行う上で極めて有利である。
【００４１】
さらに、商品通路１０ａの後端側に解除部材９１が上下方向に移動可能に設けられ、解除部材９１がストッパー９０に下方から当接すると、ストッパー９０とスライダー２０の後端部２１ｅとの係止が解除されるので、例えば各解除部材９１を収容ラック１０の背面側の操作し易い位置に設けることにより、ストッパー９０とスライダー２０の後端部２１ｅとの係止を容易に解除することができ、ボトル商品Ａの装填作業を短時間で行う上で有利である。
【００４２】
また、収容ラック１０の背面側には操作部材９２が上下方向に回動可能に設けられ、操作部材９２は各解除部材９１に下方から当接可能に形成されていることから、操作部材９２を上方に向かって回動させると、各解除部材９１が上方に向かって移動するとともに、各当接部材４０のストッパー９０とスライダー２０の後端部２１ｅとの係止が解除されることから、ボトル商品Ａの装填作業を短時間で行う上で極めて有利である。
【００４３】
尚、本実施形態では、ストッパー９０を当接部材４０に取付けたものを示したが、ストッパー９０をスライダー２０に回動可能に取付けるとともに、ストッパー９０を商品通路１０ａの後方に移動した当接部材４０に前方から係止可能に形成することも可能である。
【００４４】
また、本実施形態では、ストッパー９０がスライダー２０の後端部２１ｅに係止するようにしたものを示したが、収容ラック１０の背面側にストッパー９０と係止可能な専用の係止部材を設けることも可能である。
【００４５】
尚、本実施形態では、当接部材４０にストッパー９０を取付け、ストッパー９０によって当接部材４０の前方への移動を規制するようにしたものを示したが、図１４乃至図１６に示すように、当接部材４０に前方から係止可能な係止部材１ａを自動販売機本体１に設け、係止部材１ａによって当接部材４０の前方への移動を規制することも可能である。
【００４６】
この場合、係止部材１ａは自動販売機本体１内に設けられ、幅方向に延びるように形成されるとともに、自動販売機本体１の開口部の近傍に配置されている。また、係止部材１ａの上面が収容ラック１０の各側面板１１の下端面に常に接するように、係止部材１ａは図示しない付勢部材によって上方に向かって付勢されている。さらに、係止部材１ａは自動販売機本体１に対する前後方向の移動が規制されている。一方、当接部材４０の下端側には下方に向かって延びる延設部４０ｃが設けられ、延設部４０ｃは各側面板１１の下端面よりも下方に突出している。
【００４７】
従って、収容ラック１０を自動販売機本体１から前方に向かって引き出すと、各当接部材４０の延設部４０ｃに係止部材１ａが前方から係止し、各当接部材４０が各商品通路１０ａの後端側に移動する。また、収容ラック１０を引き出した状態では、各当接部材４０は各商品通路の後端側に保持される。
【００４８】
これにより、収容ラック１０を自動販売機本体１から前方に向かって引き出すと、係止部材１ａが各当接部材４０に前方から係止し、各当接部材４０が商品通路１０ａの後端側に移動するので、商品通路１０ａ内にボトル商品Ａを装填する際に、人手を用いることなく当接部材４０が商品通路１０ａの後端側に保持される。即ち、ボトル商品Ａの装填に両手を用いることができ、収容ラック１０へのボトル商品Ａの装填を短時間で行うことができる。
【００４９】
また、係止部材１ａを収容ラック１０ａの下端面に取付けることも可能である。この場合は、係止部材１ａが収容ラック１０ａの下面に前後方向に移動可能に取付けられるとともに、係止部材１ａが自動販売機本体１ａの開口部に係止可能に形成されている。従って、収容ラック１０を自動販売機本体１から前方に向かって引き出すと、係止部材１ａが収容ラック１０に対して後方に向かって移動するとともに、係止部材１ａが各当接部材４０の延設部４０ｃに前方から当接し、各当接部材４０が商品通路１０ａの後端側に移動する。
【００５０】
図１７乃至図１９は本発明の第２の実施形態を示すもので、図１７は自動販売機の正面図、図１８は自動販売機の正面断面図、図１９は自動販売機の側面断面図である。
【００５１】
この自動販売機は、前面を開口した自動販売機本体１００と、自動販売機本体１００の前面を開閉する外扉１０１と、自動販売機本体１００内に前後方向に延びるように設けられた複数の商品通路１１０と、商品通路１１０に前後方向に移動可能に設けられた当接部材１２０と、自動販売機本体１００内に設けられた搬出機構１３０とを有する。また、以下の文章中の方向の説明は図１７及び図１９に示す方向に準ずる。また、以下の文章中の幅方向は図１７に示した左右方向と一致している。
【００５２】
自動販売機本体１は矩形の箱状に形成されており、前面に紙幣投入口１０２、硬貨投入口１０３、商品選択ボタン１０４、硬貨取出口１０５、商品取出口１０６などを有する。また、自動販売機本体１００内には複数の棚１００ａが設けられ、各棚１００ａは互いに上下方向に間隔をおいて配置されている。外扉１０１は矩形のガラス板１０１ａを有し、右端が自動販売機本体１００に支持されている。
【００５３】
各商品通路１１０は外扉１０１のガラス板１０１ａの背面側に配置されている。また、商品通路１１０は、棚１００ａの上面に取付けられるとともに、前後方向に延びるように形成され、複数の商品Ｂを前後方向に並ぶように収容可能な通路本体１１１と、通路本体１１１内に設けられ、商品通路１１０に収容される商品Ｂの底面を前後方向に移動可能に支持するスライダー１１２とを有する。また、通路本体１１１は収容した各商品Ｂの幅方向の移動を規制するようになっており、通路本体１１１の前端にはスライダー１１２上の各商品の前方への移動を規制するストッパー部１１１ａが設けられている。ここで、商品Ｂは紙パック入りの飲料や箱入りの菓子等である。
【００５４】
当接部材１２０は第１の実施形態と同様にスライダー１１２に前後方向に移動可能に係合し、第１の実施形態と同様に図示しない付勢部材によって前方に向かって付勢されている。このため、商品通路１１０に収容された複数の商品Ｂは当接部材によって前方に向かって付勢され、商品通路１１０内の各商品Ｂのうち最前の商品Ｂが商品通路１１０のストッパー部１１１ａに当接する。当接部材１２０には第１の実施形態と同様に図示しないストッパーが取付けられ、そのストッパーは第１の実施形態と同様にスライダー１１２の後端に後方から係止可能である。
【００５５】
搬出機構１３０は、自動販売機本体１００内の前面側に上下方向に延びるように設けられた一対の第１移動機構１３１と、各第１移動機構１３１によって上下方向に移動自在に支持された第２移動機構１３２と、第２移動機構によって幅方向に移動自在に支持された把持機構１３３とを有する。各第１移動機構１３１は互いに幅方向に間隔をおいて配置され、第２移動機構１３２は幅方向に延びるように形成されている。各移動機構１３１，１３２はボールネジ等を用いた周知の機構を有し、把持機構１３３は商品Ｂを把持可能な一対の爪１３３ａが設けられた周知の機構を有する。即ち、把持機構１３３は各移動機構１３１，１３２によって上下方向及び幅方向に移動自在である。
【００５６】
以上のように構成された自動販売機において、紙幣投入口１０２または硬貨投入口１０３に貨幣が投入されるとともに、商品選択ボタン１０４が操作されると、商品選択ボタン１０４の操作に応じた商品通路１１０の前方に把持機構１３３が移動する。次に、把持機構１３３によって商品通路１１０内の商品Ｂのうち最前の商品Ｂが取出され、把持機構１３３が商品取出口１０６の近傍に移動する。続いて、把持機構１３３による商品Ｂの把持が解除され、商品Ｂが商品取出口１０６内に収容される。一方、商品通路１１０内の各商品Ｂは当接部材１２０の当接によって前方に向かって移動し、商品通路１１０内の次に最前となった商品Ｂが商品通路１１０のストッパー部１１１ａに当接する。
【００５７】
一方、商品通路１１０内に商品Ｂを装填する場合は、外扉１０１を開放するとともに、付勢部材に抗して当接部材１２０を後方に移動させる。ここで、当接部材１２０にはストッパーが取付けられ、ストッパーはスライダー１１２の後端に後方から係止するようになっているので、当接部材１２０が商品通路１１０の後端側に保持される。
【００５８】
このように、本実施形態によれば、スライダー１１２上の商品Ａを当接部材１２０によって前方に向かって付勢することができる。また、当接部材１２０を商品通路１１０の後端側に移動させると、当接部材１１０のストッパーがスライダー１１２の後端に後方から係止することにより、当接部材１１０の前方への移動が規制されるので、商品通路１１０内に商品Ｂを装填する際に、人手を用いることなく当接部材１２０が商品通路１１０の後端側に保持される。即ち、商品Ｂの装填に両手を用いることができ、商品Ｂの装填作業を短時間で行うことができる。
【図面の簡単な説明】
【００５９】
【図１】本発明の第１の実施形態を示す自動販売機の斜視図
【図２】収容ラックの斜視図
【図３】収容ラックの平面図
【図４】取付板及び駆動機構を取外した状態の収容ラックの平面図
【図５】収容ラックの要部斜視図
【図６】スライダー、当接部材及び回転バケットの側面図
【図７】当接部材の正面図
【図８】当接部材の側面断面図
【図９】スライダー及び当接部材の背面側斜視図
【図１０】ストッパー、解除部材及び操作部材の側面断面図
【図１１】ストッパー、解除部材及び操作部材の動作説明図
【図１２】当接部材及び回転バケットの動作説明図
【図１３】当接部材及び回転バケットの動作説明図
【図１４】本実施形態の変形例を示すスライダー、当接部材及び回転バケットの側面図
【図１５】本実施形態の変形例の動作説明図
【図１６】本実施形態の変形例の動作説明図
【図１７】本発明の第２の実施形態を示す自動販売機の正面図
【図１８】自動販売機の正面断面図
【図１９】自動販売機の側面断面図
【符号の説明】
【００６０】
１…自動販売機本体、２…前面扉、２ａ…ガラス板、１０…収容ラック、１０ａ…商品通路、１１…側面板、１１ａ…第１取付孔、１１ｂ…第２取付孔、１１ｃ…レール、１２…前面板、１２ａ…開口部、１３…背面板、１４…仕切板、２０…スライダー、２１…スライダー本体、２１ｃ…第１切欠部、２１ｄ…第２切欠部、２１ｅ…後端部、３０…回転バケット、３１…載置部、３１ａ…ボス、３２…筒状部、３２ａ…開口部、３２ｂ…ボス、３５…駆動機構、４０…当接部材、４０ｃ…延設部、５０…付勢部材、６０…前端支持部材、７０…後端支持部材、８０…位置決めピン、９０…ストッパー、９０ａ…取付孔、９０ｂ…フック部、９１…解除部材、９１ａ…ピン、９１ｂ…上端部、９２…操作部材、９２ａ…取付孔、１００…自動販売機本体、１０１…外扉、１１０…商品通路、１１２…スライダー、１２０…当接部材、１３０…搬出機構、Ａ…ボトル商品、Ｂ…商品。
【図１】
2007287034.tif 000003
【図２】
2007287034.tif 000004
【図３】
2007287034.tif 000005
【図４】
2007287034.tif 000006
【図５】
2007287034.tif 000007
【図６】
2007287034.tif 000008
【図７】
2007287034.tif 000009
【図８】
2007287034.tif 000010
【図９】
2007287034.tif 000011
【図１０】
2007287034.tif 000012
【図１１】
2007287034.tif 000013
【図１２】
2007287034.tif 000014
【図１３】
2007287034.tif 000015
【図１４】
2007287034.tif 000016
【図１５】
2007287034.tif 000017
【図１６】
2007287034.tif 000018
【図１７】
2007287034.tif 000019
【図１８】
2007287034.tif 000020
【図１９】
2007287034.tif 000021